(57)【要約】【課題】疑似餌本体の沈む姿勢を着水後にいち早く水平姿勢へと切り換えて水中でゆっくりと沈ませることができる釣用疑似餌及びそれに用いられる浮力体を提供する。【解決手段】本発明の釣用疑似餌は、餌の形態を模した疑似餌本体２と、疑似餌本体２の先端に突設される突出部９と、疑似餌本体２の先端部に着脱可能に取り付けられる筒状の浮力体８とを備える。浮力体８は、突出部９が挿通できる貫通孔８ａを有し、突出部９を貫通孔８ａに挿通させて該貫通孔８ａから突出させた状態で疑似餌本体２の先端部外周に嵌め付けられる。【選択図】図５
2011167086.tif 000002
【特許請求の範囲】
【請求項１】
餌の形態を模した疑似餌本体と、
前記疑似餌本体の先端に突設される突出部と、
前記疑似餌本体の先端部に着脱可能に取り付けられる筒状の浮力体と、
を備え、
前記浮力体は、前記突出部が挿通できる貫通孔を有し、前記突出部を前記貫通孔に挿通させて該貫通孔から突出させた状態で前記疑似餌本体の先端部外周に嵌め付けられることを特徴とする釣用疑似餌。
【請求項２】
前記貫通孔は、前記突出部の形状に適合する形状を有することを特徴とする請求項１に記載の釣用疑似餌。
【請求項３】
前記浮力体の内面には、前記疑似餌本体の外周に密着する軟質部材が配設されることを特徴とする請求項１または請求項２に記載の釣用疑似餌。
【請求項４】
前記浮力体の前記貫通孔から突出される前記疑似餌本体の前記突出部に着脱自在に取り付けられることにより前記疑似餌本体からの前記浮力体の脱落を防止する脱落防止部材を更に備えることを特徴とする請求項１ないし請求項３のいずれか１項に記載の釣用疑似餌。
【請求項５】
餌の形態を模した疑似餌本体の先端部に着脱可能に取り付けられる筒状の浮力体であって、前記疑似餌本体の先端に突設される突出部が挿通できる貫通孔を有し、前記突出部を前記貫通孔に挿通させて該貫通孔から突出させた状態で前記疑似餌本体の先端部外周に嵌め付けられることを特徴とする浮力体。
【請求項６】
前記貫通孔は、前記突出部の形状に適合する形状を有することを特徴とする請求項５に記載の浮力体。
【請求項７】
前記疑似餌本体の外周に密着する軟質部材が内面に配設されることを特徴とする請求項５または請求項６に記載の浮力体。
【発明の詳細な説明】
【技術分野】
【０００１】
本発明は、主としてイカ釣りに際して用いられる釣用疑似餌、および、それに用いられる浮力体に関する。
【背景技術】
【０００２】
通常、主としてイカ釣用に用いられる釣用疑似餌は、海老や蝦蛄の形態を模した本体の後部に掛針を設けると共に、本体前方の下面側に落下を促がすための錘部を設けた構成となっている（例えば、特許文献１参照）。
【先行技術文献】
【特許文献】
【０００３】
【特許文献１】実用新案登録３０７４４４８号
【発明の概要】
【発明が解決しようとする課題】
【０００４】
ところで、前述した釣用疑似餌は、疑似餌本体の前側下部に錘部が存在するため、図１３に示されるように、疑似餌本体１０２は、先端部を下方に向けた状態で水面１００下に沈み始める。すなわち、疑似餌本体１０２の前側下部に錘部１０４が存在すると、キャストされた釣用疑似餌１１０は、着水時に、図１３の（ａ）の状態から（ｂ）の状態へと水中で直ちに傾いて沈み始める。
【０００５】
しかしながら、釣用疑似餌１１０を浅瀬で使用する場合には、疑似餌本体１０２の沈む姿勢を着水後にいち早く水平姿勢へと切り換えて、水中でゆっくりと沈ませることにより、釣り対象物（イカなど）を効果的に誘うことが求められる。
【０００６】
本発明は、前記事情に着目してなされたものであり、その目的とするところは、疑似餌本体の沈む姿勢を着水後にいち早く水平姿勢へと切り換えて水中でゆっくりと沈ませることができる釣用疑似餌及びそれに用いられる浮力体を提供することにある。
【課題を解決するための手段】
【０００７】
前記課題を解決するために、請求項１に記載の釣用疑似餌は、餌の形態を模した疑似餌本体と、前記疑似餌本体の先端に突設される突出部と、前記疑似餌本体の先端部に着脱可能に取り付けられる筒状の浮力体とを備え、前記浮力体は、前記突出部が挿通できる貫通孔を有し、前記突出部を前記貫通孔に挿通させて該貫通孔から突出させた状態で前記疑似餌本体の先端部外周に嵌め付けられることを特徴とする。
【０００８】
この請求項１に記載の釣用疑似餌によれば、浮力体が疑似餌本体の先端部に取り付けられるため、疑似餌本体の先端部を相対的に且つ効果的に浮かせることができ、それにより、疑似餌本体は、その沈む姿勢が着水後にいち早く水平姿勢へと切り換わり、水の抵抗を全体で十分に受けながら水中でゆっくりと沈むことができる。そのため、浅瀬での釣りに適する（浅瀬で使用する際の釣果を向上させることができる）。特に、疑似餌本体の前側下部に錘部が存在する一般的なケースでは、重心が先端部側に偏っていることから着水時に疑似餌本体の先端側が下向きに傾いた姿勢となるが、そのような場合でも、疑似餌本体の先端側を浮力体によって持ち上げることにより、疑似餌本体の沈む姿勢を水平姿勢へと速やかに変換することができる。更に、疑似餌本体の大きさまたは錘部の重さが異なる場合や、遠方にキャストしたいがために疑似餌本体に重量調整用の錘体を更に付加する場合であっても、疑似餌本体の先端部に浮力体を設けることにより、通常であれば錘体等によって水中での姿勢が下向きに大きく傾くべきところを、浮力体の作用により疑似餌本体の先端側が持ち上げられ、水中での沈む姿勢が水平状態へと迅速に切り替わる。
【０００９】
また、上記構成では、浮力体を疑似餌本体の突出部に挿通して疑似餌本体の先端部に嵌め付けるだけで、疑似餌本体に浮力を与えることができるため、疑似餌本体の浮力調整が容易である。更に、上記構成において、浮力体は、突出部に挿通されるとともに、疑似餌本体の先端部外周にわたって嵌め付けられるため、その内面形状を疑似餌本体の外面形状に適合させることができ、したがって、疑似餌本体から脱落し難い。
【００１０】
なお、上記構成では、浮力体がもたらす浮力は任意であり、異なる浮力のものが複数用意されることが好ましい。その場合には、浮力調整を段階的に行なうことができ有益である。また、上記構成において、突出部は、釣糸が係止される釣糸係止部として形成されていてもよい。
【００１１】
また、請求項２に記載の釣用疑似餌は、請求項１に記載の釣用疑似餌において、前記貫通孔は、前記突出部の形状に適合する形状を有することを特徴とする。
【００１２】
この請求項２に記載の釣用疑似餌によれば、請求項１に記載の釣用疑似餌と同様の作用効果が得られるとともに、貫通孔の孔形状が突出部の形状に対応しているため、突出部が貫通孔に嵌合した状態で浮力体が疑似餌本体に取り付けられ、疑似餌本体の長手方向に対して直交する方向での浮力体のガタつきを抑制できる。
【００１３】
また、請求項３に記載の釣用疑似餌は、請求項１または請求項２に記載の釣用疑似餌において、前記浮力体の内面には、前記疑似餌本体の外周に密着する軟質部材が配設されることを特徴とする。
【００１４】
この請求項３に記載の釣用疑似餌によれば、請求項１または請求項２に記載の釣用疑似餌と同様の作用効果が得られるとともに、前記軟質部材の存在により、浮力体を疑似餌本体に対して密着して取り付けることができ、浮力体と疑似餌本体とを一体化できる。ここで、「軟質」とは、疑似餌本体もしくは浮力体と比較して軟質であることを意味する。
【００１５】
また、請求項４に記載の釣用疑似餌は、請求項１ないし請求項３のいずれか１項に記載の釣用疑似餌において、前記浮力体の前記貫通孔から突出される前記疑似餌本体の前記突出部に着脱自在に取り付けられることにより前記疑似餌本体からの前記浮力体の脱落を防止する脱落防止部材を更に備えることを特徴とする。
【００１６】
この請求項４に記載の釣用疑似餌によれば、請求項１ないし請求項３のいずれか１項に記載の釣用疑似餌と同様の作用効果が得られるとともに、前記脱落防止部材によって疑似餌本体からの浮力体の脱落を有効に防止できる。この場合、脱落防止を確実に果たせるように、脱落防止部材の最大外形寸法を前記貫通孔の孔径よりも大きくすることが好ましい。また、脱落防止部材は、釣糸が係止される釣糸係止部として形成されていてもよい。
なお、本発明は、前述した特徴を有する浮力体も開示する。
【発明の効果】
【００１７】
本発明によれば、疑似餌本体の沈む姿勢を着水後にいち早く水平姿勢へと切り換えて水中でゆっくりと沈ませることができる釣用疑似餌及びそれに用いられる浮力体を提供できる。
【図面の簡単な説明】
【００１８】
【図１】本発明の第１の実施形態に係る釣用疑似餌の側面図である。
【図２】図１の釣用疑似餌の平面図である。
【図３】疑似餌本体と浮力体と脱落防止部材とが分離された図１の釣用疑似餌の要部分解図である。
【図４】（ａ）は浮力体の正面図、（ｂ）は浮力体の側断面図である。
【図５】図４の浮力体を疑似餌本体の先端部に取り付けた状態を示す一部断面を含む要部側面図である。
【図６】図１の釣用疑似餌の作用説明図である。
【図７】浮力体の第１の変形例を示し、（ａ）は浮力体の正面図、（ｂ）は疑似餌本体の先端部の側面図である。
【図８】浮力体の第２の変形例を示し、（ａ）は浮力体の正面図、（ｂ）は浮力体の側断面図、（ｃ）は浮力体の背面図、（ｄ）は疑似餌本体の先端の突出部の平面図、（ｅ）は疑似餌本体の先端の突出部の側面図、（ｆ）は浮力体の平面図である。
【図９】図８（ａ）（ｂ）（ｃ）の浮力体を図８（ｄ）（ｅ）の疑似餌本体の先端部に取り付けた状態を示す先端側拡大図である。
【図１０】浮力体の第３の変形例の断面図である。
【図１１】本発明の第２の実施形態に係る釣用疑似餌の側面図である。
【図１２】本発明の第３の実施形態に係る釣用疑似餌を示し、（ａ）は側面図、（ｂ）は（ａ）のＡ−Ａ線に沿う断面図である。
【図１３】従来の釣用疑似餌の作用説明図である。
【発明を実施するための形態】
【００１９】
以下、添付図面を参照して、本発明に係る釣用疑似餌の実施形態について説明する。
図１〜図６は本発明の第１の実施形態を示している。図１に示されるように、本実施形態に係る釣用疑似餌１は、イカ釣りに適した形状として構成された疑似餌本体２を有している。疑似餌本体２は、海老や蝦蛄等の餌の形態を模しており、必要に応じて、目、髭等を取付け、色柄模様を付して構成される。
【００２０】
疑似餌本体２の後部には、イカを引っ掛ける掛針６が設けられているとともに、その前部（先端）には、魚釣用リールから繰り出される釣糸が連結係止される釣糸係止部として機能することも可能な突出部（“アイ”とも称する）９（図３等参照）が突設されている。この突出部９は、垂直面（釣用疑似餌１の泳動姿勢においてその長手軸方向および鉛直方向に延びる面）内でＵ字形に延在している（図３および図５参照）。また、疑似餌本体２の前方の下面側には、落下を促がすための錘部４が設けられている。なお、この錘部４には、随意的に通孔１３が形成されても良い。
【００２１】
また、本実施形態では、疑似餌本体２の先端部に筒状の浮力体８を着脱可能に取り付けることができるようになっている。この浮力体８は、例えば合成樹脂（ポリエチレン、ポリプロピレンなど）、独立発泡剤、発泡スチロール、ウレタンスポンジ、木材等によって形成されており、疑似餌本体２に対して所定の浮力を与えることができる。
【００２２】
また、浮力体８は、図３〜図５に明確に示されるように、その先端側に向かって先細る傾斜状の内面および外面を含んでおり、特に疑似餌本体２の先端側の外形（先細り形状）に適合する内面形状を有している。
【００２３】
また、浮力体８は、疑似餌本体２の突出部９が挿通できる貫通孔８ａを先端面８ｂに有しており、基端開口８ｃ側から突出部９を貫通孔８ａに挿通させて該貫通孔８ａから突出させた状態で疑似餌本体２の先端部外周に嵌め付けられるようになっている（特に図５参照）。なお、浮力体８の貫通孔８ａは、突出部９の形状とは無関係に円形を成している。また、貫通孔８ａから突出される疑似餌本体２の突出部９に直接に釣糸を接続することができる。
【００２４】
なお、本実施形態の釣用疑似餌１は、疑似餌本体２からの浮力体８の脱落を防止するための脱落防止部材１０を更に備えていても良い。この脱落防止部材１０は、例えばフックまたは係止リングの形態を成しており、図５に示されるように浮力体８の貫通孔８ａから突出される疑似餌本体２の突出部９に着脱自在に取り付けられるようになっている。この場合、脱落防止を確実に果たせるように、脱落防止部材１０の最大外形寸法を貫通孔８ａの開口寸法（直径Ｒ・・・図４参照）よりも大きくすることが好ましい。また、このように突出部９に対して取り付けられる脱落防止部材１０は、魚釣用リールから繰り出される釣糸１５が連結係止される釣糸係止部として機能することも可能である（図６参照）。
【００２５】
以上のように、本実施形態の釣用疑似餌１によれば、浮力体８が疑似餌本体２の先端部に取り付けられるため、疑似餌本体２の先端部を相対的に且つ効果的に浮かせることができ、それにより、疑似餌本体２は、図６に示されるように、その沈む姿勢が着水後（図６の(ａ)参照）にいち早く水平姿勢（図６の（ｂ）参照）へと切り換わり、水の抵抗を全体で十分に受けながら水中でゆっくりと沈むことができる。そのため、浅瀬での釣りに適する（浅瀬で使用する際の釣果を向上させることができる）。特に、疑似餌本体２の前側下部に錘部４が存在する一般的なケースでは、重心が先端部側に偏っていることから着水時に疑似餌本体２の先端側が下向きに傾いた姿勢（図６の（ａ）参照）となるが、そのような場合でも、疑似餌本体２の先端側を浮力体８によって持ち上げることにより、疑似餌本体２の沈む姿勢を水平姿勢へと速やかに変換することができる。更に、疑似餌本体２の大きさまたは錘部４の重さが異なる場合や、遠方にキャストしたいがために疑似餌本体２に重量調整用の錘体（図示せず）を更に付加する場合であっても、疑似餌本体２の先端部に浮力体８を設けることにより、通常であれば前記錘体等によって水中での姿勢が下向きに大きく傾くべきところを、浮力体８の作用により疑似餌本体２の先端側が持ち上げられ、水中での沈む姿勢が水平状態へと迅速に切り替わる。また、本実施形態の構成では、浮力体８を疑似餌本体２の突出部９に挿通して疑似餌本体２の先端部に嵌め付けるだけで、疑似餌本体２に浮力を与えることができるため、疑似餌本体２の浮力調整が容易である。更に、本実施形態の構成において、浮力体８は、突出部９に挿通されるとともに、疑似餌本体２の先端部外周にわたって嵌め付けられるため、その内面形状を疑似餌本体２の外面形状に適合させることができ、したがって、疑似餌本体２から脱落し難い。
【００２６】
また、本実施形態の釣用疑似餌１は、浮力体８が疑似餌本体２の先端側の外形に適合する先細りの内面形状を有しているため、前述したように浮力体８の内面形状が疑似餌本体２の外面形状に適合して疑似餌本体２からの浮力体８の脱落を効果的に防止できるとともに、疑似餌本体２の先端部外周に対する浮力体８の取り付け及び取り外しをスムーズに行なうことができる。
【００２７】
また、本実施形態の釣用疑似餌１は、浮力体８の貫通孔８ａから突出される疑似餌本体２の突出部９に脱落防止部材１０を着脱自在に取り付けることができるようになっているため、脱落防止部材１０によって疑似餌本体２からの浮力体８の脱落を有効に防止できる。
【００２８】
なお、本実施形態において、浮力体８がもたらす浮力は任意であり、異なる浮力のものが複数用意されることが好ましい。その場合には、浮力調整を段階的に行なうことができ有益である。
【００２９】
図７は浮力体８の第１の変形例を示している。図示のように、本変形例の浮力体８Ａの貫通孔８ａ’は、垂直面内でＵ字形に延在する疑似餌本体２の突出部９（図７の（ｂ）参照）の向きに合わせて突出部９の形状に適合（ほぼ一致）する形状、すなわち、垂直に延びる略矩形の形状を成している。このように、通孔８ａ’の孔形状が突出部９の形状に対応していると、突出部９が貫通孔８ａ’に嵌合した状態で浮力体８が疑似餌本体２に取り付けられるため、疑似餌本体２の長手方向に対して直交する方向での浮力体８のガタつきを抑制できる。なお、本変形例においても、疑似餌本体２からの浮力体８の脱落を防止するために、前述した実施形態と同様の脱落防止部材１０を設けることができるが、その場合も、脱落防止部材１０の最大外形寸法は図７の（ａ）に示される貫通孔８ａ’の水平方向寸法ｒ１よりも大きく設定される。
【００３０】
図８および図９は浮力体８の第２の変形例を示している。図示のように、本変形例の浮力体８Ｂの貫通孔８ａ”は、水平面内でＵ字形に延在する疑似餌本体２の突出部９Ａ（図８の（ｄ）（ｅ）参照）の向きに合わせて突出部９Ａの形状に適合（ほぼ一致）する形状、すなわち、水平方向に延びる略矩形の形状を成している（図８の（ａ）〜（ｃ）参照）。したがって、第１の変形例と同様、疑似餌本体２の長手方向に対して直交する方向での浮力体８Ｂのガタつきを抑制できる。なお、本変形例においても、疑似餌本体２からの浮力体８Ｂの脱落を防止するために、前述した実施形態と同様の脱落防止部材１０を設けることができる（図９参照）が、その場合も、脱落防止部材１０の最大外形寸法は図８の（ａ）に示される貫通孔８ａ”の垂直方向寸法ｒ２よりも大きく設定される。
【００３１】
図１０は浮力体８（８Ａ，８Ｂ）の第３の変形例を示している。図示のように、本変形例では、浮力体８（８Ａ，８Ｂ）の内面に、疑似餌本体２の先端部外周に密着する軟質部材４０が配設されている。軟質部材４０は、例えば合成ゴム、発泡剤（ＥＶＡ、ウレタン）等によって形成される。このような軟質部材４０の存在により、浮力体８を疑似餌本体２に対して密着して取り付けることができ、浮力体８と疑似餌本体２とを一体化できる。なお、図１０の浮力体は前述した第２の変形例に対応する貫通孔８”を有しているが、これは一例として図示したものであり、本変形例の軟質部材４０が前述した実施形態および第１および第２の変形例の全てに適用できることは言うまでもない。
【００３２】
図１１は本発明の第２の実施形態を示している。図示のように本実施形態に係る釣用疑似餌１は、浮力体８（８Ａ，８Ｂ）を疑似餌本体２に対して連結するための連結体５０を有している。この連結体５０は、浮力体８（８Ａ，８Ｂ）に取り付け固定された収縮性のあるゴムバンドから成り、疑似餌本体２の錘部４に引っ掛けられることにより浮力体８（８Ａ，８Ｂ）を疑似餌本体２に対して連結する。このような連結体５０を設けると、浮力体８（８Ａ，８Ｂ）と疑似餌本体２とを一体化することができ、浮力体８（８Ａ，８Ｂ）のガタつきを防止できる。
【００３３】
図１２は本発明の第３の実施形態を示している。図示のように本実施形態に係る釣用疑似餌１も、第２の実施形態と同様、浮力体８（８Ａ，８Ｂ）を疑似餌本体２に対して連結するための連結体６０を有している。この連結体６０は、浮力体８（８Ａ，８Ｂ）に取り付け固定された弾力性のある略Ｕ字形のアームから成り、その互いに向き合う係止片６０ａ，６０ａ同士を近接させる方向に付勢力が付与されている。そして、これらの係止片６０ａ，６０ａを錘部４の前述した通孔１３に挿入して弾力的に係止させることにより浮力体８が疑似餌本体２に対して連結される。このような連結体６０を設けても、浮力体８と疑似餌本体２とを一体化することができ、浮力体８（８Ａ，８Ｂ）のガタつきを防止できる。
【符号の説明】
【００３４】
１  釣用疑似餌
２  疑似餌本体
８，８Ａ，８Ｂ  浮力体
８ａ，８ａ’，８ａ”  貫通孔
９，９Ａ  突出部
１０  脱落防止部材
４０  軟質部材
【図１】
2011167086.tif 000003
【図２】
2011167086.tif 000004
【図３】
2011167086.tif 000005
【図４】
2011167086.tif 000006
【図５】
2011167086.tif 000007
【図６】
2011167086.tif 000008
【図７】
2011167086.tif 000009
【図８】
2011167086.tif 000010
【図９】
2011167086.tif 000011
【図１０】
2011167086.tif 000012
【図１１】
2011167086.tif 000013
【図１２】
2011167086.tif 000014
【図１３】
2011167086.tif 000015